(57)【要約】【課題】受信機にプリンタを固定的に設けることなく、試験結果の記録と存が適切にできるようにする。【解決手段】火災等の異常を検出する端末を伝送路２に接続して監視する防災監視設備の受信機１に、定期的に端末の作動を試験する試験処理部１８と、試験処理部１８の試験結果を保存するメモリ１２と、メモリ１２に保存された試験結果を画面表示する操作機能付きの表示部１０と、プリンタ１４を外部接続可能なプリンタコネクタ１３と、メモリ１２のメモリ残量を表示部に表示し、プリンタコネクタ１３に外部接続されたプリンタ１４にメモリ１２の試験結果を印刷出力したことを条件にメモリ１２の消去を可能とするメモリ管理部２０を設ける。【選択図】　　　　　図１
2004054691.tif 000002
【特許請求の範囲】
【請求項１】
火災等の異常を検出する端末を伝送路に接続して監視する防災監視設備の受信機に於いて、
定期的に前記端末の作動を試験する試験処理部と、
前記試験処理部の試験結果を保存するメモリと、
前記メモリに保存された試験結果を画面表示する操作機能付きの表示部と、
前記メモリに保存された試験結果を外部機器に出力するための外部機器接続可能なコネクタと、
前記コネクタに外部接続された外部機器に前記メモリの試験結果を出力したことを条件に前記メモリの消去を可能とするメモリ管理部と、
を備えたことを特徴とする防災監視設備の受信機。
【請求項２】
請求項１記載の防災監視設備の受信機に於いて、前記メモリ管理部は、前記メモリのメモリ残量が規定値以下に低下したことを検出して前記表示部にメモリ残量低下を警告表示すると共に、前記メモリの試験結果を外部接続した外部機器に出力させる出力釦と前記メモリを消去する消去釦を表示させることを特徴とする防災監視設備の受信機。
【請求項３】
請求項１記載の防災監視設備の受信機に於いて、前記メモリ管理部は、前記表示部に、定期的に前記メモリの試験結果を外部接続した外部機器に出力させる出力釦と前記メモリを消去する消去釦を表示させることを特徴とする防災監視設備の受信機。
【請求項４】
火災等の異常を検出する端末を伝送路に接続して監視する防災監視設備の受信機に於いて、
定期的に前記端末の作動を試験する試験処理部と、
前記試験処理部の試験結果を保存するメモリと、
各種警報表示を行う表示部と、
前記メモリに保存された試験結果を外部機器に出力するための外部機器接続可能なコネクタと、
前記メモリのメモリ残量が規定値以下に低下したことを検出して前記表示部にメモリ残量低下を警告表示すると共に、前記メモリの試験結果を外部機器に出力するよう促すメモリ管理部と、
を備えたことを特徴とする防災監視設備の受信機。
【請求項５】
請求項２乃至４のいずれかに記載の防災監視設備の受信機に於いて、前記コネクタは、プリンタを接続可能なプリンタコネクタを備え，前記メモリ管理部は、前記メモリの試験結果をプリンタに印刷出力させる印刷釦を前記表示部に表示させることを特徴とする防災監視設備の受信機。
【請求項６】
請求項２乃至４のいずれかに記載の防災監視設備の受信機に於いて、前記コネクタは、メモリカードを着脱自在なカードスロットを備え、前記メモリ管理部は、前記メモリの試験結果を前記カードスロットに装着した前記メモリカードに複写させるコピー釦を前記表示部に表示させることを特徴とする防災監視設備の受信機。
【請求項７】
請求項２乃至４のいずれかに記載の防災監視設備の受信機に於いて、前記コネクタは、外部ネットワークを接続可能なネットワーク接続コネクタを備え、前記メモリ管理部は、前記メモリの試験結果を外部ネットワークに送信させる送信釦を前記表示部に表示させることを特徴とする防災監視設備の受信機。
【請求項８】
請求項１乃至７のいずれかに記載の防災監視設備の受信機に於いて、前記表示部には、前記メモリのメモリ残量を表示することを特徴とする防災監視設備の受信機。
【発明の詳細な説明】
【０００１】
【発明の属する技術分野】
本発明は、火災等の異常を検出する端末を伝送路に接続して監視する防災監視設備の受信機に関し、特に、火災感知器などの端末に対する自動試験結果をメモリに保存して管理する防災監視設備の受信機に関する。
【０００２】
【従来の技術】
従来、Ｒ型として知られた防災監視設備にあっては、受信機から引き出された伝送路に火災感知器、ガス漏れ検知器などの端末を接続し、受信機からのアドレス指定による端末の呼出で防災情報を収集して監視している。
【０００３】
また受信機には自動試験機能が設けられており、定期的に受信機から各端末に試験信号を送信し、端末の機能が正常であるか否かの試験を行っている。例えば１日に一回、設定時刻での自動試験を設定すると、設定時刻に到達したときに受信機から各端末に試験信号が順番に送信され、端末が火災感知器であったとすると、端末を擬似的に火災検出状態として試験発報させ、火災信号が受信されれば正常と判断し、火災信号が受信できなければ端末異常と判断し、試験異常の発生とその内容を液晶表示器などで画面表示させている。
【０００４】
【発明が解決しようとする課題】
ところで、このような従来の防災監視設備の受信機にあっては、自動試験により試験異常となった場合には、試験異常の内容を記録又は保持することが義務付けられている。
【０００５】
このため受信機には小型のプリンタが設けられており、試験結果が正常であれば、試験の年月日時刻と「正常」を打出し、試験結果が異常であれば、試験の年月日時刻と「異常」を打出し、更に異常内容を打ち出すようにしている。
【０００６】
しかしながら、試験結果記録用のプリンタを受信機に設けることは、受信機のコストがその分高くなると共に、プリンタの維持管理も煩雑である。更にプリンタは数センチ幅のロール紙をセットして試験結果を打出しており、これを千切って管理簿などに貼り付けることで保存するが、その手間も煩雑で管理しにくい問題があり、受信機にプリンタを設けることなく、試験結果の記録又は保存が適切にできるようにすることが望まれる。
【０００７】
本発明は、受信機にプリンタを固定的に設けることなく、試験結果の記録と保存が適切にできるようにする防災監視設備の受信機を提供することを目的とする。
【０００８】
【課題を解決するための手段】
この目的を達成するため本発明は次のように構成する。本発明は、火災等の異常を検出する端末を伝送路に接続して監視する防災監視設備の受信機に於いて、定期的に端末の作動を試験する試験処理部と、試験処理部の試験結果を保存するメモリと、メモリに保存された試験結果を画面表示する操作機能付きの表示部と、プリンタ等の外部機器を外部接続可能なコネクタと、コネクタに外部接続されたプリンタにメモリの試験結果を印刷出力したことを条件にメモリの消去を可能とするメモリ管理部とを備えたことを特徴とする。
【０００９】
このように本発明によれば、定期的な自動試験の試験結果は、専用のメモリに保存されており、メモリの残量が不足しそうになったら、コネクタにプリンタを外部接続してメモリの試験結果を印刷出力させ、これを条件にメモリを消去してメモリ残量を確保する。
【００１０】
このため受信機に試験結果を印刷出力するためのプリンタを固定的に接続して設けておく必要はなくなり、例えば保守管理サービス会社側でサービス機器としてプリンタを準備し、受信機でメモリ消去が必要となった場合にプリンタを外部接続してメモリの試験結果を打出せば良い。
【００１１】
また受信機に外部接続するプリンタは、従来の受信機に設けていた小型プリンタのような制限は受けず、市販のプリンタがそのまま利用できることから、Ｂ５サイズやＡ４サイズといった通常の用紙が使用でき、印刷結果の保存管理も容易で、印刷内容も見やすくできる。
【００１２】
勿論、受信機にプリンタを設ける必要がなくなった分、受信機のコストを低減でき、更にプリンタの維持管理を不要として運用管理が容易になる。更にプリンタの耐用年数は受信機から見ると比較的短く、例えは１０年程度使用した場合には、修理は不可能に近いためプリンタ全体を交換せざるを得ないが、このプリンタの修理交換の問題が解消され、ランニングコストを大幅に低減する。
【００１３】
ここでメモリ管理部は、メモリのメモリ残量が規定値以下に低下したことを検出して表示部にメモリ残量を警告表示すると共に、メモリの試験結果を外部接続した外部機器に出力させる出力釦とメモリを消去する消去釦を表示させる。このようにメモリ残量が少なくなると警告表示が行われるため、この警告をみて管理者は、外部機器の外部接続によるメモリ内容の印刷出力とメモリ消去の作業を行えば良く、メモリ容量にもよるが、例えば半年に一回程度の頻度でメモリ残量の警告表示となることから、運用管理に及ぼす手間もそれほどではない。
【００１４】
またメモリ管理部は、表示部に、メモリ残量を定期的に表示させると共に、メモリの試験結果を外部接続したプリンタに印刷させる印刷釦とメモリを消去する消去釦を表示させるようにしても良い。このようにメモリ残量が十分であっても、例えば１ヶ月に１回あるいは３ヶ月に１回というように定期的にメモリ残量を表示することで、プリンタの外部接続によるメモリ内容の印刷とメモリ消去の作業について定期的な作業スケジュールを立ててでき、管理作業を容易にする。
【００１５】
本発明の受信機は、コネクタとしては、外部機器としてのメモリカードを着脱自在なカードスロットを備え、メモリ管理部は、メモリの試験結果を前記カードスロットに装着したメモリカードに複写させるコピー釦を表示部に表示させる。このためメモリカードへのコピーによりデータとして試験結果を効率良く保存し、必要に応じていつでも利用可能とする。
【００１６】
また本発明の受信機は、コネクタとしては、外部機器としての外部ネットワークを接続可能なネットワーク接続コネクタを備え、メモリ管理部は、メモリの試験結果を外部ネットワークに送信させる送信釦を表示部に表示させる。このため、インターネットなどを利用して外部のサーバなどにメモリの試験結果を転送して保存したり、外部のサーバから受信機にアクセスしてメモリの試験結果を収集することを可能とする。
【００１７】
【発明の実施の形態】
図１は本発明の火災受信機を備えた防災監視設備の説明図である。図１において、受信機１から引き出された伝送路２に対しては、感知器用中継器３、煙アナログ感知器５、熱アナログ感知器６及びガス漏れ用中継器７が、異常検出のための端末として接続される。なお、各端末は一例として１台ずつを例にとるが、実際には１または複数台接続される。
【００１８】
感知器用中継器３からは感知器回線Ｌ１〜Ｌｎが引き出され、それぞれオンオフ火災感知器４を接続している。オンオフ火災感知器４は火災を検出すると、感知器用中継器３からの感知器回線を短絡して発報電流を流し、これを感知器用中継器３で受信して火災と判断する。
【００１９】
煙アナログ感知器５は、煙検出部から得られた煙濃度に対応したアナログ検出信号を受信機１に送り、受信機１側で火災判断を行わせる。熱アナログ感知器６は、熱感知部からのアナログ熱検出信号を受信機１に送って火災を判断させる。
【００２０】
ガス漏れ用中継器７にはガス漏れ検知器８が接続されており、ガス漏れ検知器８は図示しないＡＣ１００ボルトを電源とし、通常時６ボルト、ガス漏れ検出で１２ボルトを出力し、この１２ボルト出力でガス漏れ中継器７がガス漏れを判断する。
【００２１】
更に伝送路２には必要に応じて、図示しない地区ベルや防災機器などの制御負荷が制御用中継器を介して接続される。
【００２２】
受信機１にはＭＰＵを用いた信号処理部８、伝送回路部９、液晶表示器ＬＥＤ及びタッチパネルを備えた操作表示部１０、電源部１１、試験結果記録用不揮発メモリ１２、プリンタコネクタ１３、ネットワークコネクタ１５及びカードスロット１６が設けられる。また信号処理部８にはプログラム制御により実現される制御機能として、受信制御部１８、試験処理部１９及びメモリ管理部２０が設けられる。
【００２３】
受信機１の伝送回路部９は、端末アドレスを指定したポーリングにより端末側の情報の収集を行う。例えば端末側には端末アドレスとしてアドレス１〜１２７が設定されており、定常監視状態にあっては端末アドレスを順次指定して端末側を呼び出し、呼び出した端末からそのとき検出している端末情報を応答情報として送信させる。
【００２４】
また端末における端末情報の検出は、複数の端末でほぼ同時刻に情報検出を可能とするため、サンプリングコマンドを一定周期ごとに送信する。このサンプリングコマンドを受けた各端末は、自己の検出器の検出信号をＡ／Ｄ変換によりメモリに取り込み、その後、受信機１からのアドレスを指定したポーリングの際に端末情報として応答送信する。
【００２５】
受信制御部１８は、ポーリングにより各端末から応答送信された情報に基づいて火災やガス漏れなどの判断を行う。このうち感知器用中継器３及びガス漏れ用中継器７からの応答信号は火災またはガス漏れの有無を直接表わしていることから、火災またはガス漏れであればそのまま、それぞれの異常に対応した受信制御を行う。
【００２６】
これに対し煙アナログ感知器５及び熱アナログ感知器６については、それぞれのアナログ検出情報が応答送信されることから、受信制御部１８側でアナログ情報を閾値と比較し、火災の判断を行う。
【００２７】
信号処理部８に設けた試験処理部１９は、定期的に受信機１に設けている電源部１１の中の予備電源試験及び各端末の試験を自動的に行う。即ち、試験処理部１９は、設定されたタイミングで起動し、試験信号により電源部１１に内蔵している予備電源の試験、感知器用中継器３の作動試験、煙アナログ感知器５の作動試験、熱アナログ感知器６の作動試験、更にガス漏れ用中継器７の作動試験を行う。
【００２８】
試験処理部１９における自動試験は、毎日を設定するか又は一週間の曜日の指定により、試験を行う日を設定する。また試験日における試験開始時刻を設定する。このように試験タイミングが設定されると、試験タイミングに達したときに試験信号を出力して各種の作動試験を行うことになる。
【００２９】
試験処理部１９による自動試験の内容は次のようになる。まず予備電源試験を説明すると、電源部１１にはＡＣ１００ボルトの供給を受けて内部で使用する直流電源電圧を作り出す主電源以外に、停電時に使用される予備電源を備えている。このため、試験時には予備電源が正常に機能するかどうか試験する必要がある。予備電源の試験は、擬似負荷を予備電源に接続した状態で維持負荷の両端電圧をＡ／Ｄ変換器で読み込んで、正常な負荷電圧が得られるか否か試験する。
【００３０】
感知器用中継器３の作動試験は、受信機１からの試験信号を判別した際に感知器回線Ｌ１〜Ｌｎとコモン線間を短絡し、オンオフ火災感知器４が作動したと同じ擬似火災検出状態を作り出し、火災検出信号を受信機１からのポーリングに対し送信する。
【００３１】
煙アナログ感知器５の作動試験は受信機１からの試験信号を判別して、例えば光電式煙検出部におけるテストＬＥＤを発行させ、このテストＬＥＤに対する受光素子の受光出力により擬似的に煙流入状態を作り出して、火災検出信号を受信機１に応答させる。
【００３２】
熱アナログ感知器６の作動試験は、受信機１からの試験信号を受けた際に、温度に応じて抵抗値が変化するサーミスタを有する火災感知回路を擬似的に作動させて火災信号を受信機１に送信させる。
【００３３】
更にガス漏れ用中継器７にあっては、受信機１から試験信号を受けた際に、ガス漏れ検知器７ａがガス漏れ検出で出力する１２ボルトの誘電圧による検出状態と同じ状態を擬似的に作り出して、ガス漏れ検知信号を受信機１に送信する。
【００３４】
このような受信機１における試験処理部１９による自動試験機能に加え、本発明にあっては、信号処理部８に対し試験結果記録用不揮発メモリ１２を設けている。この試験結果記録用不揮発メモリ１２には試験処理部１９で行われた各端末の試験結果が格納される。なお、この試験結果記録用不揮発メモリ１２は、受信機１の電源が遮断されたとしても記録されたデータを保持するバックアップ用メモリである。
【００３５】
また試験処理部１９にあっては、各端末及び予備電源の試験結果において異常が検出された場合には、操作表示部１０のＬＥＤ表示画面に自動試験異常を障害表示として表示し、併せてブザー等の警報音を出す。
【００３６】
試験結果記録用不揮発メモリに対してはメモリ管理部２０が設けられる。メモリ管理部２０は、試験結果記録用不揮発メモリ１２のメモリ残量を操作表示部１０に表示し、プリンタコネクタ１３にプリンタ１４を外部接続した状態で試験結果を印刷出力することができ、メモリの試験結果を印刷したことを条件にメモリ消去を可能とする。
【００３７】
より具体的には、メモリ管理部２０は試験結果記録用不揮発メモリ１２のメモリ残量が規定値以下に低下するかどうか監視しており、メモリ残量が規定値以下に低下すると操作表示部１０にメモリ残量の低下を警告表示する。この操作表示部１０におけるメモリ残量の警告表示に対し、防災監視設備の管理者は、例えば外部の保守サービス会社に連絡を取り、試験結果記録用不揮発メモリ１２に保存している試験結果のプリンタ１４による打ち出しを依頼する。
【００３８】
依頼を受けた保守サービス会社の担当者は、受信機１のプリンタコネクタ１３にプリンタ１４を外部接続し、操作表示部１０のメモリ残量の警告表示画面に同時に表示される印刷ボタンの操作で試験結果記録用不揮発メモリ１２の内容をプリンタ１４に印刷出力する。
【００３９】
このプリンタ１４による印刷出力が済むと、メモリ管理部２０はメモリ消去を可能とする。このため、同じくメモリ残量の警告表示画面に表示されているメモリの消去ボタンを操作することで、試験結果記録用不揮発メモリ１２の内容を消去して新たな試験結果の保存に対応することが可能となる。
【００４０】
図２は、図１の受信機１の操作表示部１０に表示される試験異常表示画面２１の一例である。この試験異常表示画面２１にあっては、画面右側に代表表示部２１ａ，２１ｂ，２１ｃ，２１ｄが設けられており、例えば火災なし、ガス漏れなし、障害メニューが示され、現在、自動試験による試験異常であることから、障害の代表表示部２１ｃが開かれて自動試験異常の発生を警告表示している。
【００４１】
この試験異常表示画面２１には「自動試験異常です」の障害表示と共に、画面下側に詳細ボタン２３が設けられている。この詳細ボタン２３を操作すると、図３の詳細画面２７が開かれる。
【００４２】
詳細画面２７には実施日２８及び結果２９の表示欄が設けられており、例えば実施日「▲１▼２００２／０７／１８（木）０１：４８：０８」について、「自動試験異常」があり、その内容は「作動試験異常」である。その後ろの「＃００１−００１−１」は、系統が「＃００１」でアドレスが「００１」で回線が「１」であることを表わしている。もちろん、先頭に表示される最新の自動試験結果に続いて、過去に起きた表示可能な部分の試験結果も詳細表示される。
【００４３】
また詳細画面２７の下右側には上スクロールボタン３４と下スクロールボタン３５が設けられており、これを操作することにより実施日２８及び結果２９の表示内容をスクロール表示できる。
【００４４】
再び図２を参照するに、試験異常表示画面２１にはメモリスケール２４が表示されており、図１の試験結果記録用不揮発メモリ１２のメモリ使用状態を示している。このメモリスケール２４における左側の塗りつぶし部分はメモリの使用領域２５であり、右側の白地の部分がメモリ空き領域（メモリ残量）２６である。
【００４５】
このメモリスケール２４は、詳細ボタン２３の操作で開いた図３の詳細画面２７にも表示されている。このメモリスケール２４に対応して詳細画面２７の下側には消去ボタン３０、コピーボタン３１、印字ボタン３２及び送信ボタン３３が設けられており、試験結果記録用不揮発メモリ１２の印刷、消去、コピー、送信などの操作が詳細画面２７を使用してできるようにしている。
【００４６】
図４は図１のメモリ管理部２０で試験結果記録用不揮発メモリ１２のメモリ残量が規定値以下となったことを検出した際に表示されるメモリ残量警告画面３７の説明図である。このメモリ残量警告画面３７は障害の一種として表示され、「記録用メモリの残量が少なくなってきました」のメッセージが表示され、併せてメモリスケール２４が表示され、使用領域２５に対し空き領域２６が少なくなっている状態を確認できるようにしている。
【００４７】
またメモリ残量警告画面３７の下側には消去ボタン３０、コピーボタン３１、印字ボタン３２及び送信ボタン３３が設けられ、試験結果記録用不揮発メモリ１２に対する各種の操作がメモリ残量警告画面３７上でできるようにしている。
【００４８】
この図４のメモリ残量警告画面３７が表示された場合には、図１の受信機１のプリンタコネクタ１３にプリンタ１４を外部接続し、この状態で印字ボタン３２を操作する。印字ボタン３２を操作すると、そのとき試験結果記録用不揮発メモリ１２に保存されている試験結果がプリンタ１４で印刷出力される。
【００４９】
このプリンタによる試験結果の印刷出力が済むと、メモリ管理部２０は試験結果記録用不揮発メモリ１２の消去を可能とする。そこで図４のメモリ残量警告画面３７において消去ボタン３０を操作すると、試験結果記録用不揮発メモリ１２の消去（オールクリア）が行われ、これによりメモリスケール２４は全て空き領域２６となる。
【００５０】
一方、図１のカードスロット１６にメモリカード１７をセットした状態でコピーボタン３１を操作すれば、試験結果記録用不揮発メモリ１２に保存している試験結果をメモリカード１７にコピーすることができる。メモリカード１７にコピーした試験結果は、別途用意したパソコンにメモリカード１７を差し込んでデータを取り込むことで閲覧することができる。
【００５１】
更に、ネットワークコネクタ１３に対しＬＡＮやインターネットに接続するためのインタフェースをコネクタ接続し、この状態で送信ボタン３３を操作することで、例えばインターネット上のサーバに対し受信機１の試験結果記録用不揮発メモリ１２を送信して保存することが可能となる。
【００５２】
図５は図１の受信機１における自動試験処理のフローチャートであり、信号処理部８に設けた試験処理部１９及びメモリ管理部２０の処理機能として実行される。
【００５３】
図５において、まずステップＳ１で試験実行周期と開始時刻を設定する。試験実行周期は毎日または一週間の曜日を設定する。開始時刻は、設定した毎日もしくは曜日の時刻の設定となる。
【００５４】
このステップＳ１の設定が済むと、ステップＳ２で試験開始タイミングか否かチェックしており、例えば毎日を試験実行周期とした場合には、設定した開始時刻に達すると、ステップＳ３からの試験処理を実行する。
【００５５】
この試験処理は、まずステップＳ３で試験信号を出力し、ステップＳ４の予備電源試験、ステップＳ５の煙アナログ感知器試験、ステップＳ６の熱アナログ感知器試験、更にステップＳ７の中継器試験を行う。ステップＳ７の中継器試験には、図１の感知器用中継器３の試験とガス漏れ用中継器７の試験が含まれる。
【００５６】
ステップＳ４〜Ｓ７の各端末についての試験が済むと、ステップＳ９で試験結果を試験結果記録用不揮発メモリ１２に保存する。ここで、試験結果についてステップＳ９で試験異常が判別されると、ステップＳ１０で例えば図２のような試験異常表示画面２１が表示される。
【００５７】
続いてステップＳ１１で試験結果記録用不揮発メモリ１２のメモリ残量が規定値以下か否かチェックする。メモリ残量が規定値以下であれば、ステップＳ１２で図４のようなメモリ残量警告画面３７を表示して警告表示を行う。
【００５８】
このメモリ残量警告画面３７の表示に対し管理者側にあっては、受信機１のプリンタコネクタ１３にプリンタ１４を外部接続して試験結果記録用不揮発メモリ１２の印刷出力を行わせ、その後に消去ボタンを操作することでメモリクリアを行うことになるが、このメモリ消去ボタンの操作による消去指示があれば、ステップＳ１３で試験結果記録用不揮発メモリ１２をクリアする。当然、プリンタ１４に限らず、メモリカード１７へのコピー動作を行っても良い。
【００５９】
以上の一連の処理を、ステップＳ１４で設備の停止指示があるまで繰り返すことになる。
【００６０】
図６は図１の受信機１における試験結果記録用不揮発メモリ１２のメモリ残量表示の他の実施形態であり、図４の実施形態にあってはメモリ残量が規定値以下となった時にメモリ残量警告画面３７を表示するようにしているが、この実施形態にあってはメモリ残量の如何に関わらず定期的にメモリ使用状態を表示して印刷出力とメモリ消去を行わせるようにしたことを特徴とする。
【００６１】
図６において、メモリ残量定期表示画面３８は、例えば１ヶ月あるいは３ヶ月といった予め設定した一定期間ごとに表示される。このメモリ残量定期表示画面３８には「プリンタを接続して印刷してください。」のメッセージ表示が行われ、併せてメモリスケール２４により使用領域２５と空き領域２６を示している。また画面下側にはメモリ処理に必要な消去ボタン３０、コピーボタン３１、印字ボタン３２及び送信ボタン３３が設けられている。
【００６２】
このため、１ヶ月あるいは３ヶ月の設定周期でメモリ残量定期表示画面３８が表示された際には、管理者は外部の保守サービス会社などに依頼して例えばプリンタ１４を受信機１のプリンタコネクタ１３に接続して、印字ボタン３２の操作で試験結果記録用不揮発メモリ１２の記録結果を印刷出力させた後に、消去ボタン３０を操作して、試験結果記録用不揮発メモリ１２の消去を定期的に行う。
【００６３】
なお、上記異常時に限らず、画面右下のメニューボタン２１ｄから項目を選んでメモリスケール２４を表示させて現在のメモリ使用状態を把握できるようにしても良いし、管理者がメニューボタン２１ｄから項目を選択して、任意の時間に試験結果の印字、コピーあるいは送信ができるようにしても良い。
【００６４】
このようなメモリ残量を定期的に表示して印刷出力及び消去を行わせることで、プリンタの外部接続による試験結果の印刷出力と、試験結果を保存するためのメモリ消去の業務を管理業務の中に一定の作業項目として組み入れることができ、防災監視設備の運用管理がより適切にできる。
【００６５】
また図６のメモリ残量定期表示画面３８を利用した定期的な処理は、図５のメモリ残量警告画面３７と組み合わせて使用することが望ましい。即ち、通常時にあっては定期的にメモリ残量定期表示画面３８の表示によるメモリの試験結果の印刷出力と消去を行っているが、万が一、その中に試験結果の保存量が増加してメモリ残量が規定値以下となった場合には、図４のメモリ残量警告画面３７を表示して印刷出力とメモリ消去ができるようにする。
【００６６】
なお上記の実施形態は、受信機１から端末アドレスを指定したポーリングにより情報を収集する所謂Ｒ型の防災監視設備を例にとるものであったが、本発明はこれに限定されず、感知器回線単位に受信機で火災監視を行う所謂Ｐ型の受信機を用いた防災監視設備についても、受信機側に自動試験機能を設けている場合には同様に適用することができる。
【００６７】
また上記の実施形態における自動試験のための試験項目に限定ざれず、必要に応じて適宜の端末及び受信機１の内蔵部分の自動試験を行ってもよい。
【００６８】
更に、画面中の消去ボタン３０は、他のコピー、印字、送信のいずれかを操作した後に表示されるようにしても良く、外部機器への出力を行う前に間違って消去することを防ぐことができる。
【００６９】
【発明の効果】
以上説明してきたように本発明によれば、定期的な自動試験の試験結果を専用のメモリに保存し、メモリの残量が不足しそうになったら警告表示を行い、外部機器である例えばプリンタコネクタにプリンタを外部接続してメモリの試験結果を印刷出力させ、これを条件にメモリを消去してメモリ残量を確保することから、受信機に試験結果を印刷出力するためのプリンタを固定的に設けておく必要はなくなり、プリンタを設ける必要がなくなった分、受信機のコストを低減でき、またプリンタの維持管理を不要として運用管理を容易にし、且つランニングコストを低減することができる。
【００７０】
更に、受信機にメモリカードやインターネットとの接続機能を加えることで、メモリに保存している試験結果のメモリカードへのコピーによる保存や利用、更にはインターネット上のサーバからのアクセスによるメモリの試験結果の保存や利用が実現できる。
【図面の簡単な説明】
【図１】本発明の受信機を備えた防災監視設備の説明図
【図２】自動試験で火災感知器に異常が起きた場合の試験異常表示画面の説明図
【図３】図２の自動試験異常から開いた詳細画面の説明図
【図４】自動試験の際に表示されるメモリ残量警告画面の説明図
【図５】図１の受信機における自動試験処理のフローチャート
【図６】定期的に表示されるメモリ残量定期表示画面の説明図
【符号の説明】
１：受信機
２：伝送路
３：感知器用中継器
４：火災感知器
５：煙アナログ感知器
６：熱アナログ感知器
７：ガス漏れ用中継器
７ａ：ガス漏れ検知器
８：信号処理部
９：伝送回路部
１０：電源部
１１：操作表示部
１２：試験結果記録用不揮発メモリ
１３：プリンタコネクタ
１４：プリンタ
１５：ネットワークコネクタ
１６：カードスロット
１７：メモリカード
１８：受信制御部
１９：試験処理部
２０：メモリ管理部
２１：試験異常表示画面
２１ａ〜２１ｅ：代表表示部
２３：詳細釦
２４：メモリスケール
２５：使用領域
２６：空き領域（メモリ残量）
２７：詳細画面
２８：実施日
２９：結果
３０：消去釦
３１：コピー釦
３２：印字釦
３３：送信釦
３４：上スクロール釦
３５：下スクロール釦
３６：メモリ残量警告画面
３８：メモリ残量定期表示画面
【図１】
2004054691.tif 000003
【図２】
2004054691.tif 000004
【図３】
2004054691.tif 000005
【図４】
2004054691.tif 000006
【図５】
2004054691.tif 000007
【図６】
2004054691.tif 000008